【手続補正書】
【提出日】平成25年12月20日(2013.12.20)
【手続補正１】
【補正対象書類名】特許請求の範囲
【補正対象項目名】全文
【補正方法】変更
【補正の内容】
【特許請求の範囲】
【請求項１】
送信経路と、
受信経路と、
前記送信経路に結合されるデジタル・アナログ・コンバータ（ＤＡＣ）と、
前記受信経路に結合されるアナログ・デジタル・コンバータ（ＡＤＣ）と、
前記ＤＡＣ及び前記ＡＤＣに結合される媒体依存インタフェース（ＭＤＩ）と、
前記送信経路と前記受信経路とに結合されるエコーキャンセラと、
前記ＤＡＣと前記ＡＤＣとに結合されるハイブリッド回路と、
を含む装置であって、
前記ＭＤＩが、１００ＢＡＳＥ−Ｔ接続上で通信を提供するように第１のツイストペアと第２のツイストペアとを受信するよう適合され、前記第１のツイストペアと前記第２のツイストペアとがノンフォールトモードにおいて半二重で用いられ、
前記第１及び第２のツイストペアの一つにフォールトが検出されると前記ＭＤＩがフォールトトレランスモードに入り、
前記フォールトトレランスモードにおいて、前に前記ノンフォールトモードにおいて半二重で用いられたアクティブツイストペアで物理的全二重１００ＢＡＳＥ−Ｔリンクがつくられ、
前記アクティブツイストペアが前記フォールトのない前記第１及び第２のツイストペアの一つであり、
所定の期間内で半二重１００ＢＡＳＥ−Ｔリンクが成立しないかどうかを判定することにより、前記第１及び第２のツイストペアの一つがフォールトを有するか否かを前記ＭＤＩが検出し、
前記ＭＤＩが、前記装置をマスタユニット又はスレーブユニットのどちらか一方に構成し、そして前記装置をスレーブユニットである第２の装置に同期させ、
前記ＭＤＩが、前記マスタユニットを、アイドルバーストを先に検出するように設定し得る、装置。
【請求項２】
請求項１に記載の装置であって、
前記ＭＤＩが媒体依存インタフェースクロスバー（ＭＤＩＸ）である、装置。
【請求項３】
請求項１に記載の装置であって、
前記ＭＤＩが前記フォールトトレラントモードにおいて前記アクティブツイストペアで同期化を行なう、装置。
【請求項４】
第１のユニットと第２のユニットとの間に結合される第１のツイストペアと第２のツイストペアとの一つにフォールトが存在するか否かを検出するステップと、
前記第１及び第２のツイストペアの一つのいずれがアクティブツイストペアであるかを判定するステップと、
前記アクティブツイストペア上で全二重１００ＢＡＳＥ−Ｔリンクを成立させるステップと、
前記第１及び第２のユニットをマスタユニットとスレーブユニットとして構成するステップと、
前記マスタユニットとスレーブユニットとを同期化するステップと、
を含む方法であって、
前記検出するステップが、所定の期間内で半二重１００ＢＡＳＥ−Ｔリンクが成立しないかどうかを判定することにより、前記第１及び第２のツイストペアの一つがフォールトを有するか否かを検出するステップを含み、
前記構成するステップが、
前記第１及び第２のユニットの各々により送信時間スロットと受信時間スロットとの一方にランダムに入るステップと、
前記送信時間スロットに対し、前記送信時間スロットの第１の部分の間に前記第１及び第２のユニットの少なくとも一方によりサイレントのままとするステップと、
前記送信時間スロットに対し、前記送信時間スロットの第２の部分の間に前記第１及び第２のユニットの少なくとも一方に信号を送信するステップであって、前記送信時間スロットの第２の部分が前記送信時間スロットの前記第１の部分に続く、前記送信するステップと、
前記送信時間スロットに対し、前記送信時間スロットの第３の部分の間に前記第１及び第２のユニットの少なくとも一方をサイレントのままとするステップであって、前記送信時間スロットの前記第３の部分が前記送信時間スロットの第２の部分に続く、前記サイレントのままとするステップと、
前記受信時間スロットに対し、前記第１及び第２のユニットの少なくとも一方でアイドルバーストを検出するステップと、
前記送信時間スロットの前記送信された期間の半分未満のアイドルバーストの識別を宣言するため、受信経路に検出された送信されたアイドルの最小時間期間を定義するステップと、
マスタユニットを、前記アイドルバーストを先に検出する前記第１及び第２のユニットの一つとして設定するステップと、
を更に含む、方法。
【請求項５】
請求項４に記載の方法であって、
前記成立させるステップが、
前記マスタユニットの送信経路により一連の連続するアイドルを送信するステップと、
前記マスタユニットのエコーキャンセラを調練するステップと、
前記スレーブユニットの少なくとも一部を調練するステップと、
を更に含む、方法。
【請求項６】
請求項４に記載の方法であって、
前記成立させるステップが、
前記スレーブユニットの少なくとも一部を調練するステップと、
前記スレーブユニットの少なくとも一部を調練する前記ステップの後に前記スレーブユニットの送信経路により一連の連続するアイドルを送信するステップと、
前記スレーブユニットのエコーキャンセラを調練するステップと、
前記マスタユニットの少なくとも一部を調練するステップと、
を更に含む、方法。
【請求項７】
第１の送信経路と、第１の受信経路と、前記第１の送信経路に結合される第１のＤＡＣと、前記第１の受信経路に結合される第１のＡＤＣと、前記第１のＡＤＣと前記第１のＤＡＣとに結合される第１のＭＤＩと、前記第１の送信経路と前記第１の受信経路とに結合される第１のエコーキャンセラと、前記第１のＤＡＣと前記第１のＡＤＣとに結合される第１のハイブリッド回路とを有する第１のユニットと、
前記第１のＭＤＩに結合される第１のツイストペアと、
前記第１のＭＤＩに結合される第２のツイストペアと、
第２の送信経路と、第２の受信経路と、前記第２の送信経路に結合される第２のＤＡＣと、前記第２の受信経路に結合される第２のＡＤＣと、前記第２のＤＡＣと前記第２のＡＤＣとに結合される第２のＭＤＩと、前記第２の送信経路と前記第２の受信経路とに結合される第２のエコーキャンセラと、前記第２のＤＡＣと前記第２のＡＤＣとに結合される第２のハイブリッド回路とを有する第２のユニットと、
を含む装置であって、
前記第１のツイストペアと前記第２のツイストペアとがノンフォールトモードにおいて半二重で用いられ、
前記第１のユニットとの１００ＢＡＳＥ−Ｔ接続上で通信を提供するように前記第２のＭＤＩが前記第１及び第２のツイストペアに結合され、
前記第１及び第２のツイストペアの一つにフォールトが検出されると、前記第１及び第２のＭＤＩがフォールトトレランスモードに入り、
前記フォールトトレランスモードにおいて、前に前記ノンフォールトモードにおいて半二重で用いられたアクティブツイストペア上で物理的全二重１００ＢＡＳＥ−Ｔリンクがつくられ、
前記アクティブツイストペアが、前記フォールトのない前記第１及び第２のツイストペアの一つであり、
所定の期間内で半二重１００ＢＡＳＥ−Ｔリンクが成立しないかどうかを判定することにより、前記第１及び第２のツイストペアの一つがフォールトを有するか否かを前記ＭＤＩが検出し、
前記第１及び第２のＭＤＩが、前記第１及び第２のユニットをマスタユニットとスレーブユニットとして構成し、前記マスタユニットとスレーブユニットとを同期化し、
前記第１及び第２のＭＤＩの各々が、前記マスタユニットを、アイドルバーストを先に検出する前記第１及び第２のユニットの一つとして設定する、装置。
【請求項８】
請求項７に記載の装置であって、
前記第１及び第２のＭＤＩの各々がそれぞれ第１のＭＤＩＸと第２のＭＤＩＸとを更に含む、装置。